(57)【要約】【課題】  通話中になる前の呼出中状態で発信側と着信側の双方で互いの位置情報をリアルタイムで認識できる位置情報通知システムを提供する。【解決手段】  本発明の位置情報通知システムは、発信側移動端末１０の位置情報および着信側移動端末２０の位置情報を記憶するとともに、この記憶した位置情報を発信側交換局１２および着信側交換局２２にそれぞれ送信することができる位置情報制御装置３２を備えるとともに、発信側交換局１２は位置情報制御装置３２から受信した発信側移動端末１０の位置情報を付加した呼設定要求信号を着信側交換局２２に送信する呼設定要求信号送信手段を備え、着信側交換局２２は位置情報制御装置３２から受信した着信側移動端末２０の位置情報を付加した呼設定完了信号を発信側交換局１２に送信する呼設定完了信号送信手段を備えて、発信側移動端末１０および着信側移動端末２０の双方にそれぞれの位置情報を通知できるようにしている。【選択図】  図１
2005204118.tif 000002
【特許請求の範囲】
【請求項１】
発信側移動端末と着信側移動端末の双方に発信側移動端末の位置情報と着信側移動端末の位置情報を通知できる位置情報通知システムであって、
前記発信側移動端末の位置情報および前記着信側移動端末の位置情報を記憶するとともに、該記憶した位置情報を発信側交換局および着信側交換局にそれぞれ送信することができる位置情報制御装置を備えるとともに、
前記発信側交換局は前記位置情報制御装置から受信した前記発信側移動端末の位置情報を付加した呼設定要求信号を前記着信側交換局に送信する呼設定要求信号送信手段を備え、
前記着信側交換局は前記位置情報制御装置から受信した前記着信側移動端末の位置情報を付加した呼設定完了信号を前記前記発信側交換局に送信する呼設定完了信号送信手段を備えたことを特徴とする位置情報通知システム。
【請求項２】
前記着信側交換局は前記発信側交換局から受信した前記発信側移動端末の位置情報を付加した呼設定要求信号に、前記位置情報制御装置から受信した前記着信側移動端末の位置情報を付加した呼出信号を前記着信側移動端末に送信する呼出信号送信手段を備え、
前記発信側交換局は前記着信側交換局から受信した前記着信側移動端末の位置情報を付加した前記呼設定完了信号に、前記位置情報制御装置から受信した前記発信側移動端末の位置情報を付加した呼出中信号を前記発信側移動端末に送信する呼出中信号送信手段を備えたことを特徴とする請求項１に記載の位置情報通知システム。
【請求項３】
前記発信側移動端末の位置情報は該発信側移動端末が在圏する発信側基地局の位置情報であり、
前記着信側移動端末の位置情報は該着信側移動端末が在圏する着信側基地局の位置情報であることを特徴とする請求項１または請求項２に記載の位置情報通知システム。
【請求項４】
前記移動端末の表示画面に表示された地図画面上に前記位置情報を表示できるようにしたことを特徴とする請求項１から請求項３のいずれかに記載の位置情報通知システム。
【請求項５】
前記発信側移動端末は受信した着信側移動端末の前記位置情報に応じたリンギングバックトーンにしたことを特徴とする請求項１から請求項４のいずれかに記載の位置情報通知システム。
【請求項６】
前記着信側移動端末は受信した発信側移動端末の前記位置情報に応じたリンギングトーンにしたことを特徴とする請求項１から請求項５のいずれかに記載の位置情報通知システム。
【発明の詳細な説明】
【技術分野】
【０００１】
本発明は、携帯電話機、ＰＨＳ（personal handy-phone system）あるいはＰＤＡ（personal digital assistants）などの移動端末を有する移動体通信システムに係わり、特に、発信側移動端末と着信側移動端末の双方に発信側移動端末の位置情報と着信側移動端末の位置情報をそれぞれ通知できる位置情報通知システムに関する。
【背景技術】
【０００２】
携帯電話機、ＰＨＳ、ＰＤＡなどの移動端末は、移動中の連絡通信手段として、広く一般に普及するようになった。この種の移動端末において、当該移動端末の位置を検出し、検出した位置を第３者に通知する仕組みが従来より提案されている。このような位置通知の仕組みを事故や犯罪の通報時に利用して、通報者が所持する移動端末の位置を病院や警察へ通知すれば、事故や犯罪の発生場所を簡単に知ることができる。例えば、特許文献１においては、移動端末としてＰＨＳを用いた患者の救急処理のためのＰＨＳシステムが提案されている。
【０００３】
この特許文献１で提案されたＰＨＳシステムにおいては、移動局（移動端末）は、患者の異常検出時に緊急用の識別コードを送信する。それに基いて、どの移動端末に設定された識別コードであるかがチェックされるとともに、移動端末の位置が解析される。そして、あらかじめ登録された医療機関の中から、患者の移動端末に一番近い医療機関等が選択され、そこ（一番近い医療機関等）に発呼して患者の位置を伝え、救急車などの要請を行うようになされている。
【０００４】
また、特許文献２においては、緊急事態が発生したことを警察などの関係機関に報知できる移動通信システムが提案されている。この特許文献２で提案された移動通信システムにおいては、緊急用ボタンを有するＰＨＳ端末（移動端末）は、緊急用ボタンが押されたときに緊急メッセージコードを電波で送信する。そのＰＨＳ端末から緊急メッセージコードを受信した無線基地局は、その無線基地局の位置を表わす基地局ＩＤ及び緊急メッセージコードを緊急信号として送信する。この緊急信号に基づいて、無線基地局の設置場所および緊急事態が発生している旨をサービスコンソールに表示させるようになされている。
【特許文献１】特開平９−２００３８０号公報
【特許文献２】特開平１０−２９４８０７号公報
【発明の開示】
【発明が解決しようとする課題】
【０００５】
ところが、上述した特許文献１，２にて提案されたシステムにおいては、緊急事態を発信しようとする移動端末側に、識別コードの発信手段、緊急メッセージコードの発信手段のような当該移動端末を特定するための特別の構成や、緊急用ボタン等の緊急時の操作のための特別の要素を付加する必要があって、いままでの移動端末では発信できないという問題があった。また、緊急事態である旨を受信したシステムは、電話をかけてきた移動端末を特定するための特別の構成を備える必要があり、この種のシステムが高価になって実現性に欠けるという問題もあった。
【０００６】
一方、上述した事故や犯罪の発生時に限らず、移動端末間で通話を行う場合であっても、予め、お互いの位置情報が双方で認識できれば、待ち合わせ時などにおいて待ち合わせの相手の現在位置が確認できるようになるため、この種の移動端末の利便性や有用性がさらに向上するようになる。
【０００７】
しかしながら、現在の移動体通信システムにおいて移動端末間で通話を行う場合、呼出中の状態になった時点では、発信側の移動端末と着信側の移動端末との間の情報の殆どが、発信側の交換局と着信側の交換局との間でのやりとりで完了されている。この場合、やり取りされる情報の中に位置情報も含まれるが、この位置情報に関しては現在の処、通話料金を算出するための距離計算のみに用いられているだけである。
【０００８】
そこで、本発明は、上記問題点を解決するためになされたものであって、いままでの移動端末がそのまま利用でき、かつ簡単で安価な設備を付加するだけで、発信側と着信側の双方で互いの位置情報をリアルタイムで認識できる位置情報通知システムを提供することを目的とする。
【課題を解決するための手段】
【０００９】
上記目的を達成するため、本発明の位置情報通知システムは、発信側移動端末の位置情報および着信側移動端末の位置情報を記憶するとともに、この記憶した位置情報を発信側交換局および着信側交換局にそれぞれ送信することができる位置情報制御装置を備えるとともに、発信側交換局は位置情報制御装置から受信した発信側移動端末の位置情報を付加した呼設定要求信号を着信側交換局に送信する呼設定要求信号送信手段を備え、着信側交換局は位置情報制御装置から受信した着信側移動端末の位置情報を付加した呼設定完了信号を発信側交換局に送信する呼設定完了信号送信手段を備えて、発信側移動端末および着信側移動端末の双方に発信側移動端末の位置情報と、着信側移動端末の位置情報をそれぞれ通知できるようにしたことを特徴とする。
【００１０】
この場合、着信側交換局は発信側交換局から受信した発信側移動端末の位置情報を付加した呼設定要求信号に、位置情報制御装置から受信した着信側移動端末の位置情報を付加した呼出信号を着信側移動端末に送信する呼出信号送信手段を備え、発信側交換局は着信側交換局から受信した着信側移動端末の位置情報を付加した呼設定完了信号に、位置情報制御装置から受信した発信側移動端末の位置情報を付加した呼出中信号を発信側移動端末に送信する呼出中信号送信手段を備えるようにすると、着信側が呼出中の状態になっているときに、発信側移動端末および着信側移動端末の双方の位置情報を互いに認識できるようになる。これにより、例えば、待ち合わせ時に相手の現在位置を確認することが可能となるため、この種の移動端末の利便性が向上するとともに、新たなサービスへの発展を期待できるようになる。
【００１１】
さらに、上述のようにして取得した位置情報を移動端末の地図画面上に表示できるようにすると、相手の現在位置を視覚的に認識できるようになるので好ましい。また、発信側移動端末は受信した着信側移動端末の位置情報に応じたリングバックトーンにし、着信側移動端末は受信した発信側移動端末の位置情報に応じたリンギングトーンにすると、相手の現在位置を聴覚的に認識できるようになるので好ましい。
【発明の効果】
【００１２】
上述したように、本発明においては、発信側移動端末および着信側移動端末の双方に発信側移動端末の位置情報と、着信側移動端末の位置情報をそれぞれ表示できるので、着信側が呼出中の状態になっているときに、発信側移動端末および着信側移動端末の双方の位置情報を互いに認識できるようになる。これにより、例えば、待ち合わせ時に相手の現在位置を確認することが可能となるため、この種の移動端末の利便性が向上するとともに、新たなサービスへの発展を期待できるようになる。
【発明を実施するための最良の形態】
【００１３】
ついで、本発明の一実施の形態を図１乃至図３に基づいて説明するが、本発明はこの実施の形態に何ら限定されるものでなく、本発明の目的を変更しない範囲で適宜変更して実施することが可能である。なお、図１は移動体通信システムの概略構成を模式的に示す図である。また、図２は本発明の位置情報報知システムにおける位置情報を通知するための動作を示すシーケンス図である。さらに、図３は位置情報制御装置に接続されたデータベースに格納された各変換テーブルの一例を示す図である。
【００１４】
本実施の形態の移動体通信システムは、図１に模式的に示すように、移動端末（携帯電話機）１０，２０を含み、これらの各移動端末１０，２０は、無線基地局（ＢＳ：Ｂａｓｅ  Ｓｔａｔｉｏｎ）１１，２１および交換局（ＭＳＣ：Ｍｏｂｉｌｅ  Ｓｗｔｃｈｉｎｇ  Ｃｅｎｔｅｒ；交換ノードともいう)１２，２２を介して移動電話網（共通線信号網）３０に接続されている。各無線基地局（ＢＳ）１１，２１はそれぞれ無線ゾーン（セル）Ａ１，Ａ２・・・Ａｎ、Ｂ１，Ｂ２・・・Ｂｎを形成しており、複数のセルＡ１，Ａ２・・・Ａｎで位置登録エリアＡを形成し、複数のセルＢ１，Ｂ２・・・Ｂｎで位置登録エリアＢを形成している。
【００１５】
移動電話網３０にはＨＬＲ（Ｈｏｍｅ  Ｌａｃａｔｉｏｎ  Ｒｅｇｉｓｔｅｒ）３１や位置情報制御装置３２が設けられている。ＨＬＲ３１には、いくつかのセルをまとめた位置登録エリアＡ，Ｂ・・・毎に移動端末（携帯電話機）１０，２０の所在を管理しており、例えば、移動端末（携帯電話機）１０に向けて電話をかけられた時は、この位置登録エリアＡ内の複数のセルＡ１，Ａ２・・・Ａｎの各基地局１１から一斉呼び出し信号が発せられる。そして、ＨＬＲ３１には、各移動端末１０，２０・・・が在圏する位置登録エリアＡ，Ｂ・・・の所在や加入者データなどを管理する網内データベースが格納されている。この網内データベースに各移動端末１０，２０・・・の位置（位置登録エリア）を記録する作業は、位置登録エリア（例えば、Ａ，Ｂ，Ｃ・・・）をまたぐ毎（例えば、Ａ→Ｂ，Ｂ→Ｃ・・・）に行われ、逐次、最新データに更新されるようになされている。
【００１６】
また、位置情報制御装置３２にはデータベース３３が設けられていて、このデータベース３３には、各移動端末１０，２０・・・の位置情報（例えば、移動端末１０においては、移動端末１０が現在在圏している位置登録エリアＡ内のセルＡ１の基地局（ＢＳ）１１の位置情報（基地局ＩＤに対応する住所データおよび緯度、経度データ）が格納されている。また、位置情報制御装置３２のデータベース３３に各移動端末１０，２０・・・の位置を記録する作業は、在圏するセル（例えば、Ａ１，Ａ２，・・・Ａｎ）をまたぐ毎（例えば、Ａ１→Ａ２，Ａ２→Ａ３・・・）に行われ、逐次、最新データに更新されるようになされている。
【００１７】
ここで、例えば、移動端末（携帯電話機）１０が位置登録エリアＡのセルＡ１内の基地局１１からセルＡ２に移動すると、移動端末１０は、自機に記憶されている自機が在圏しているセルＡ１の基地局１１のＩＤと、移動したセルＡ２から報知されるセルＡ２の基地局１１のＩＤとを照合して、不一致になった時に移動端末１０は在圏するセルＡ２の基地局１１を介して交換局（ＭＳＣ）１２に位置登録信号を送出する。すると、これを受信した交換局（ＭＳＣ）１２は位置登録信号を位置情報制御装置３２に送信し、位置情報制御装置３２はデータベース３３に移動端末１０が在圏する当該セルＡ２の基地局１１のＩＤを電話番号に関連付けて格納する。
【００１８】
一方、移動端末（携帯電話機）１０が位置登録エリアＡから位置登録エリアＸ（図示せず）に移動すると、移動端末１０は、自機に記憶されている自機が在圏している位置登録エリアＡのＩＤと、移動した位置登録エリアＸから報知される位置登録エリアＸのエリア番号とを照合して、不一致になった時に移動端末１０は在圏する位置登録エリアＸの基地局１１を介して位置登録エリアＸを管轄する交換局（ＭＳＣ）１２に位置登録信号を送出する。すると、これを受信した当該交換局（ＭＳＣ）１２は、位置登録信号をＨＬＲ３１に送信する。これによりＨＬＲ３１はデータベースに移動端末１０が在圏する当該位置登録エリアＸのエリア番号を電話番号に関連付けて格納する。
【００１９】
この結果、位置情報制御装置３２は移動電話網３０内の全ての移動端末１０，２０・・・が在圏する基地局１１，２１・・・の位置情報（基地局ＩＤに対応する住所データおよび緯度、経度データ）をデータベース３３から取り出して、当該基地局１１，２１・・・の位置情報を把握することが可能となる。また、ＨＬＲ３１は移動電話網３０内の全ての位置登録エリアＡ，Ｂ・・・のエリア番号をデータベースから取り出して、電話番号に関連する当該位置登録エリアＡ，Ｂ・・・のエリア番号を把握することが可能となる。
【００２０】
なお、データベース３３には「位置情報通知サービス」に加入している加入者が所持する移動端末の電話番号およびこの電話番号に対応する移動端末が在圏する基地局ＩＤを示す「加入者電話番号テーブル」（図３（ａ）参照）、およびこの電話番号に対応した位置情報を報知するための「報知電話番号テーブル」（図３（ｂ）参照）、ならびに基地局ＩＤに対応した「位置情報変換テーブル」（例えば、基地局ＩＤに対する住所データおよび緯度、経度データ）（図３（ｃ）参照）が格納されており、これらの変換テーブルは、逐次、最新のデータに更新されるようになされている。
【００２１】
ついで、上述のように構成される移動体通信システムにおける位置情報通知システムの動作を図２のシーケンス図に基づいて説明する。この場合、図１に示す移動端末（携帯電話機）１０が発信側移動端末１０とし、移動端末（携帯電話機）２０が着信側移動端末２０とし、発信側移動端末（例えば、電話番号が０９０−１２３−４５６７の携帯電話機とする）１０が着信側移動端末（例えば、電話番号が０９０−９８７−６５４３の携帯電話機とする）２０に向けて発信する例について説明する。
【００２２】
なお、これらの各移動端末１０，２０は、電源が投入された状態においては、位置登録エリアＡ，Ｂ内の複数の基地局１１，２１から送出される報知信号を間欠的に受信していて、最も受信電界強度の高い報知信号に含まれる基地局ＩＤおよびエリア番号を基地局（ＢＳ）１１，２１を介して、この基地局（ＢＳ）１１，２１を管轄する交換局１２，２２に送信している。これにより、上述のように最新の基地局１１，２１・・・の位置情報（基地局ＩＤに対応する住所データおよび緯度、経度データ）が位置情報制御装置３２のデータベース３３に逐次更新され、位置登録エリアＡ，Ｂのエリア番号がＨＬＲ３１のデータベースに逐次更新されているものとする。
【００２３】
このような状態（この場合は、位置登録エリアＡのセルＡ１の基地局１１から最も受信電界強度の高い報知信号を受信しているものとする）において、発信側移動端末１０のユーザから発呼の指示がなされると（Ｓ１）、発信側移動端末１０は、最も受信電界強度の高い報知信号に含まれる基地局ＩＤを含む発信要求信号を位置登録エリアＡのセルＡ１の基地局（ＢＳ）１１を介してこのセルＡ１の基地局（ＢＳ）１１を管轄する交換局（ＭＳＣ)１２に送信（Ｓ２）する。この発信要求信号には、上記の基地局ＩＤおよびエリア番号の他にも、ユーザによって入力された発呼先（着信側）の電話番号（０９０−９８７−６５４３）や自機の電話番号（０９０−１２３−４５６７）などが含まれている。
【００２４】
そして、交換局（ＭＳＣ)１２が発信要求信号を受信すると、交換局（ＭＳＣ)１２は発信要求信号を送信した発信側移動端末１０が在圏する基地局１１の位置情報（基地局ＩＤに対応する住所データおよび緯度、経度データ：図３（ｃ）参照）の取得を要求する信号（発信側位置情報要求信号）を位置情報制御装置３２に送信（Ｓ３）する。すると、位置情報制御装置３２はデータベース３３にアクセスして、発信側移動端末１０が「位置情報通知サービス」に加入しているか否か、および着信側移動端末２０に位置情報を報知する登録になっているか否かを、この発信側移動端末１０の電話番号（０９０−１２３−４５６７）に基づいて検索する。
【００２５】
ここで、データベース３３の「加入電話番号テーブル」および「報知電話番号テーブル」に、発信側移動端末１０の電話番号（０９０−１２３−４５６７）および着信側移動端末２０の電話番号（０９０−９８７−６５４３）が存在すると、位置情報制御装置３２は、「位置情報変換テーブル」を参照して、発信側移動端末１０が在圏する基地局１１の基地局ＩＤに対応する位置データ（例えば、住所データおよび緯度、経度データ）を読み出す。位置データを読み出した後、位置情報制御装置３２は基地局１１を管轄する交換局（ＭＳＣ)１２に基地局１１の位置データを送信（発信側位置情報応答信号）する（Ｓ４）。これより、交換局（ＭＳＣ)１２は発信側移動端末１０が在圏する基地局１１の位置データを取得することとなる。
【００２６】
また、交換局（ＭＳＣ)１２が発信要求信号を受信すると、交換局（ＭＳＣ)１２は発信要求信号から着信側移動端末２０の電話番号（０９０−９８７−６５４３）を抽出して、着信側移動端末２０がどこの位置登録エリアに在圏するかをＨＬＲ３１に問い合わせる。この問い合わせに応じて、ＨＬＲ３１はデータベースにアクセスして着信側移動端末２０の電話番号（０９０−９８７−６５４３）に対応するエリア番号を検索した後、ＨＬＲ３１は検索した結果を交換局（ＭＳＣ)２２に報告する。これにより、発信側交換局（ＭＳＣ)１２は着信側移動端末２０が在圏する位置登録エリアＢを管轄する着信側交換局（ＭＳＣ)２２が分かることとなる。
【００２７】
すると、発信側交換局（ＭＳＣ)１２は、発信要求信号に位置情報制御装置３２から受信した基地局１１の位置データを付加した呼設定要求信号（ＩＡＭ信号：Ｉｎｉｔｉａｌ  Ａｄｄｒｅｓｓ  Ｍｅｓｓａｇｅ）を着信側交換局（ＭＳＣ)２２に送信（Ｓ５）する。着信側交換局（ＭＳＣ)２２が呼設定要求信号（ＩＡＭ信号）を受信すると、着信側交換局（ＭＳＣ)２２は、着信側移動端末２０が在圏する基地局２１の位置情報（着信側基地局ＩＤに対応する住所データおよび緯度、経度データ：図３（ｃ）参照）の取得を要求する信号（着信側位置情報要求信号）を位置情報制御装置３２に送信（Ｓ６）する。
【００２８】
すると、位置情報制御装置３２はデータベース３３にアクセスして、着信側移動端末２０が「位置情報通知サービス」に加入しているか否か、および発信側移動端末１０に位置情報を報知する登録になっているか否かを検索する。ここで、データベース３３の「加入電話番号テーブル」および「報知電話番号テーブル」に、着信側移動端末２０の電話番号（０９０−９８７−６５４３）および発信側移動端末１０の電話番号（０９０−１２３−４５６７）が存在すると、位置情報制御装置３２は、データベース３３の「位置情報変換テーブル」を参照して、着信側移動端末２０が在圏する基地局２１の基地局ＩＤに対応する位置データ（例えば、住所データおよび緯度、経度データ）を読み出して、交換局（ＭＳＣ)２２に送信（着信側位置情報応答信号）（Ｓ７）する。
【００２９】
これにより、交換局（ＭＳＣ)２２は発信側移動端末１０が在圏する基地局１１の位置データを取得するとともに、着信側移動端末２０が在圏する基地局２１の位置データも取得することとなる。この後、着信側交換局（ＭＳＣ)２２は基地局２１を介して、呼設定要求信号（ＩＡＭ信号）に受信した基地局１１の位置データおよび着信側移動端末２０が在圏する基地局２１の位置データを付加した呼出信号（発着側位置情報含む）を着信側移動端末２０に送信する（Ｓ８）。これに応答して、着信側移動端末２０は、呼出応答信号を基地局２１を介して交換局（ＭＳＣ)２２に送信する（Ｓ９）。
【００３０】
交換局（ＭＳＣ)２２が着信側移動端末２０から送信された呼出応答信号を受信すると、交換局（ＭＳＣ)２２は、呼設定完了信号（ＡＣＭ（Address Complete Message）信号）に着信側移動端末２０が在圏する基地局２１の位置データを付加して発信側交換局（ＭＳＣ)１２に送信する（Ｓ１０）。発信側交換局（ＭＳＣ)１２が呼設定完了（ＡＣＭ）信号を受信すると、発信側交換局（ＭＳＣ)１２は、呼設定完了（ＡＣＭ）信号から着信側移動端末２０の位置データを抽出して、この位置データを呼出中を意味する呼出中信号に付加するとともに、先に位置情報制御装置３２から取得した発信側移動端末１０の位置データも呼出中信号に付加する。
【００３１】
この後、発信側交換局（ＭＳＣ)１２は、発信側移動端末１０と着信側移動端末２０の双方の位置データを付加した呼出中信号を基地局１１を介して発信側移動端末１０に送信する（Ｓ１１）。これにより、着信側移動端末２０および発信側移動端末１０および着信側移動端末２０はそれぞれ呼出中状態となる。これにより、着信側移動端末２０においても、表示画面に予め格納されていた地図データを読み出し、読み出した地図画面上に、取得した発信側移動端末１０および着信側移動端末２０の位置を表示させる（Ｓ１２）。また、発信側移動端末１０は表示画面に予め格納されていた地図データを読み出し、読み出した地図画面上に、取得した発信側移動端末１０および着信側移動端末２０の位置を表示させる（Ｓ１３）。
【００３２】
例えば、発信側移動端末の内部に各基地局（ＢＳ）のセルＡ１，Ａ２・・・Ａｎの地理的範囲を色や囲み線などで表示する地図データを備えるようにして、呼出中信号に含まれている着信側移動端末の位置データに該当するセルを割り出して、その地理的範囲を表示画面の中央に配置するとともに色表示や囲み線を表示する。
【００３３】
また、着信側移動端末の内部に各基地局（ＢＳ）のセルＢ１，Ｂ２・・・Ｂｎの地理的範囲を色や囲み線などで表示する地図データを備えるようにして、呼出信号に含まれている発信側移動端末の位置データに該当するセルを割り出して、その地理的範囲を表示画面の中央に配置するとともに色表示や囲み線を表示する。
【００３４】
上述したように、本発明においては、発信側移動端末１０および着信側移動端末２０の双方に発信側移動端末１０の位置情報と、着信側移動端末２０の位置情報をそれぞれ表示できるので、着信側移動端末２０が呼出中の状態になっているときに、発信側移動端末１０および着信側移動端末２０の双方の位置情報を互いに認識できるようになる。これにより、例えば、待ち合わせ時に相手の現在位置を確認することが可能となるため、この種の移動端末の利便性が向上するとともに、新たなサービスへの発展を期待できるようになる。
【００３５】
なお、上述した実施の形態においては、発信側移動端末１０と着信側移動端末２０の双方において、表示画面に予め格納されていた地図データを読み出し、読み出した地図画面上に、取得した発信側移動端末１０および着信側移動端末２０の位置を表示させる例について説明したが、発信側移動端末は受信した着信側移動端末の位置情報に応じたリングバックトーンにし、着信側移動端末は受信した発信側移動端末の位置情報に応じたリンギングトーンにすると、相手の現在位置を聴覚的に認識できるようになるので好ましい。
【００３６】
例えば、発信側移動端末の内部に通常のリングバックトーンだけでなく、異なる鳴動音のリングバックトーンを別に備えるようにして、呼出中信号に含まれている着信側移動端末の位置データと発信側移動端末の位置データとの照合結果に応じて、鳴動させるリングバックトーンを変えるようにする。この場合、双方の位置データが同一内容であった場合には、通常のリングバックトーンに代えて別の異なる鳴動音、即ち、お互いが近くにいる旨のリングバックトーンを鳴動させるようにするのが望ましい。また、互いに異なる鳴動音のリングバックトーンを複数備えるようにして、移動端末の操作によって鳴動させるリングバックトーンと特定の位置データとを予め対応づけておき、着信側移動端末の特定の位置データ（例えば、自宅、会社など）に対応したリングバックトーンを選択的に鳴動させるようにしても良い。
【００３７】
また、着信側移動端末の内部に通常のリンギングトーンだけでなく、異なる鳴動音のリンギングトーンを別に備えるようにして、呼出信号に含まれている発信側移動端末の位置データと着信側移動端末の位置データとの照合結果に応じて、鳴動させるリンギングトーンを変えるようにする。この場合、双方の位置データが同一内容であった場合には、通常のリンギングトーンに代えて別の異なる鳴動音、即ち、お互いが近くにいる旨のリンギングトーンを鳴動させるようにするのが望ましい。また、互いに異なる鳴動音のリンギングトーンを複数備えるようにして、移動端末の操作によって鳴動させるリンギングトーンと特定の位置データとを予め対応づけておき、発信側移動端末の特定の位置データ（例えば、自宅、会社など）に対応したリンギングトーンを選択的に鳴動させるようにしても良い。
【産業上の利用可能性】
【００３８】
上述した実施の形態においては、移動端末として携帯電話機のみを用いた移動体通信システムの例について説明したが、移動端末としては携帯電話機に限らず、ＰＨＳ（personal handy-phone system）やＰＤＡ（personal digital assistants）などの複数種類の移動端末を有する移動体通信システムにも適用できることは明らかである。
【図面の簡単な説明】
【００３９】
【図１】移動体通信システムの概略構成を模式的に示す図である。
【図２】本発明の位置情報報知システムにおける位置情報を通知するための動作を示すシーケンス図である。
【図３】位置情報制御装置に接続されたデータベースに格納された各変換テーブルの一例を示す図である。
【符号の説明】
【００４０】
１０…発信側移動端末、１１…発信側基地局、１２…発信側交換局、２０…着信側移動端末、２１…着信側基地局、２２…着信側交換局、３０…移動電話網（共通線信号網）、３１…ＨＬＲ、３２…位置情報制御装置、３３…データベース
【図１】
2005204118.tif 000003
【図２】
2005204118.tif 000004
【図３】
2005204118.tif 000005